(57)【要約】  【課題】  折り曲げられた状態で装置に搭載された場合であっても亀裂の発生を従来より低減することができるフレキシブルプリント基板を提供する。  【解決手段】  フレキシブルプリント基板１０は、可撓性を有する基材１１に６本の導電性配線パターン１２が配設され、６本の導電性配線パターン１２が絶縁性保護膜１３によって保護されたフレキシブルプリント基板であって、絶縁性保護膜１３は、６本の導電性配線パターン１２が外部に露出して半田付け可能なランド１２ａを成す開口部１３ａを有し、導電性配線パターン１２上の開口部１３ａの縁部１３ｂは、導電性配線パターン１２の延設方向の位置が導電性配線パターン１２毎に異なって階段状に形成されていることを特徴とする。【選択図】  図４
2009200362.tif 000002
【特許請求の範囲】
【請求項１】
可撓性を有する基材に複数の導電性配線パターンが配設され、前記複数の導電性配線パターンが絶縁性保護膜によって保護されたフレキシブルプリント基板であって、
前記絶縁性保護膜は、前記複数の導電性配線パターンが外部に露出して半田付け可能なランドを成す開口部を有し、
前記導電性配線パターン上の前記開口部の縁部は、前記導電性配線パターンの延設方向の位置が前記導電性配線パターン毎に異なって階段状に形成されていることを特徴とするフレキシブルプリント基板。
【請求項２】
請求項１において、前記導電性配線パターン上の前記開口部の縁部まで半田が施されていることを特徴とするフレキシブルプリント基板。
【請求項３】
請求項１または２に記載のフレキシブルプリント基板を有する対物レンズ駆動装置を搭載した光ヘッド装置であって、
前記フレキシブルプリント基板は、折り曲げられた状態で前記光ヘッド装置に搭載され、折り曲げられる部分の延在方向と、前記縁部によって形成された階段の傾斜方向とが交差していることを特徴とする光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置などの装置に搭載されるフレキシブルプリント基板と、それを有する対物レンズ駆動装置を搭載した光ヘッド装置とに関する。
【背景技術】
【０００２】
従来のフレキシブルプリント基板として、可撓性を有する基材に導電性配線パターンが配設され、導電性配線パターンが絶縁性保護膜によって保護されたフレキシブルプリント基板であって、導電性配線パターンが外部に露出して半田付け可能なランドを成す開口部を絶縁性保護膜が有しているものが知られている（例えば、特許文献１参照。）。
【特許文献１】特開平８−３１６６０３号公報
【発明の開示】
【発明が解決しようとする課題】
【０００３】
半田は、導電性配線パターン上の開口部の縁部まで施される場合が多い。故に、上記フレキシブルプリント基板と他の基板とをそれぞれの導電性配線パターンどうしを一致させて半田接続させると、上記フレキシブルプリント基板は、半田が施された導電性配線パターン上の開口部の縁部と半田の端部とが一致することにより、この開口部の縁部にフレキシブルプリント基板を折り曲げ等により変形させた場合の応力が集中する。したがって、このような従来のフレキシブルプリント基板を、対物レンズ駆動装置などに用いられた場合であれば、光ヘッド装置に変形させて組み込む際や、変形された状態で光ヘッド装置などの装置に搭載されたときに、導電性配線パターン上の開口部の縁部に沿ってフレキシブルプリント基板自身に亀裂が生じて導電性配線パターンの導通が遮断される場合があるという問題がある。
【０００４】
本発明は、従来の問題を解決するためになされたもので、半田が、導電性配線パターン上の開口部の縁部まで施され、光ヘッド装置に変形させて組み込む際や、折り曲げ等により変形された状態で光ヘッド装置などの装置に搭載された場合であっても、開口部の縁部に発生する亀裂の発生を従来より低減することができるフレキシブルプリント基板を提供することを目的とする。
【課題を解決するための手段】
【０００５】
本発明のフレキシブルプリント基板は、可撓性を有する基材に複数の導電性配線パターンが配設され、前記複数の導電性配線パターンが絶縁性保護膜によって保護されたフレキシブルプリント基板であって、前記絶縁性保護膜は、前記複数の導電性配線パターンが外部に露出して半田付け可能なランドを成す開口部を有し、前記導電性配線パターン上の前記開口部の縁部は、前記導電性配線パターンの延設方向の位置が前記導電性配線パターン毎に異なって階段状に形成されていることを特徴とする。
【０００６】
本発明のフレキシブルプリント基板は、開口部の縁部が導電性配線パターンの延設方向の位置が導電性配線パターン毎に異なって階段状に形成されている。従って、フレキシブルプリント基板を光ヘッド装置に組み込む際や、変形された状態で光ヘッド装置などの装置に搭載された場合であっても、開口部の縁部において応力の集中箇所を分散させることができるので、亀裂の発生を従来より低減することができる。すなわち、フレキシブルプリント基板を光ヘッド装置に組み込む際や、変形された状態で光ヘッド装置などの装置に搭載される際、導電性配線パターンの延在方向と直交する方向に変形させて組み込んだり、導電性配線パターンの延在方向と直交する方向に変形された状態で光ヘッド装置などの装置に搭載された場合が多い。この場合、フレキシブルプリント基板が元の形状に戻ろうとする復元力に起因して導電性配線パターンの延在方向と直交する方向、すなわちフレキシブルプリント基板の変形方向に応力が発生することになるが、ここで、もし開口部の縁部が導電性配線パターンの延設方向と直交する方向に形成されている場合、フレキシブルプリント基板の上記復元力に起因した応力の方向と開口部の縁部の方向とが一致して、開口部の縁部に応力が集中する。その結果、亀裂の進行が促進されることになる。本願発明によれば、上記の通り開口部の縁部が階段状に形成され、導電性配線パターンの延在方向と直交する方向とずれているので、フレキシブルプリント基板を光ヘッド装置に組み込む際や、光ヘッド装置に搭載された場合であっても、開口部の縁部において応力の集中箇所を分散させることができるので、亀裂の発生を従来より低減することができる。
【０００７】
本発明のフレキシブルプリント基板は、前記導電性配線パターン上の前記開口部の縁部まで半田が施されていることが好ましい。
【０００８】
この構成により、本発明のフレキシブルプリント基板は、半田が、導電性配線パターン上の開口部の縁部まで施され、光ヘッド装置に変形させて組み込む際や、折り曲げ等により変形された状態で光ヘッド装置などの装置に搭載された場合であっても亀裂の発生を従来より低減することができる。
【０００９】
また、本発明の光ヘッド装置は、フレキシブルプリント基板を有する対物レンズ駆動装置を搭載した光ヘッド装置であって、前記フレキシブルプリント基板は、折り曲げられた状態で前記光ヘッド装置に搭載され、折り曲げられる部分の延在方向と、前記縁部によって形成された階段の傾斜方向とが交差していることを特徴とする。
【００１０】
ここで、開口部の縁部に発生する亀裂は、上述の通り、折り曲げられた部分の延在方向に進行する傾向にあるため、開口部の縁部によって形成された階段の傾斜方向が折り曲げられた部分の延在方向に一致している場合、亀裂が階段の傾斜に沿って発生し易くなる。本発明によれば、この階段の傾斜方向が亀裂の進行方向と交差しているので、一旦亀裂が発生してもその亀裂が進行し難くなり、断線に至るまでの時間を遅延させることができる。
【発明の効果】
【００１１】
本発明によれば、半田が、導電性配線パターン上の開口部の縁部まで施され、光ヘッド装置に変形させて組み込む際や折り曲げ等により変形された状態で光ヘッド装置などの装置に搭載された場合であっても開口部の縁部に発生する亀裂の発生を従来より低減することができるフレキシブルプリント基板を提供することができる。
【発明を実施するための最良の形態】
【００１２】
（第１の実施の形態）
以下、本発明の第１の実施の形態について、図面を用いて説明する。
【００１３】
まず、本実施の形態に係るフレキシブルプリント基板の構成について説明する。
【００１４】
図１は、本実施の形態に係るフレキシブルプリント基板１０の正面図である。図２は、フレキシブルプリント基板１０における導電性配線パターンの形成された位置の導電性配線パターンに沿った側断面を模式的に示す模式図である。図３は、フレキシブルプリント基板１０の背面図である。図４は、フレキシブルプリント基板１０の一部の正面図である。
【００１５】
図１〜図４に示すように、フレキシブルプリント基板１０は、可撓性を有する基材１１から図２における紙面左側に向かって、６本（図１参照。）の銅箔の導電性配線パターン１２と、６本の導電性配線パターン１２を保護する絶縁性保護膜１３とが配設されている。基材１１および導電性配線パターン１２の間、導電性配線パターン１２および絶縁性保護膜１３の間には、それぞれ接着剤１４、１５が介在され、接着剤１４によって基材１１および導電性配線パターン１２が接着され、接着剤１５によって、導電性配線パターン１２を保護する絶縁性保護膜１３が接着されている。基材１１から図２における紙面右側に向かって、粘着テープ１６、１７および１８と、粘着テープ１６、１７および１８をそれぞれ保護する剥離紙１９、２０および２１とを有している。
【００１６】
フレキシブルプリント基板１０は、後述する相手の回路基板４０のランド４０ａと半田付け可能な６つのランド１２ａを有する端部３１と、それぞれ３つのランドを有する２つの端部３２および３３とを有している。
【００１７】
端部３１において、図４に示すように、絶縁性保護膜１３は、６本の導電性配線パターン１２が外部に露出して半田付け可能なランド１２ａを成す開口部１３ａを有している。導電性配線パターン１２上の開口部１３ａの縁部１３ｂは、矢印１２ｂで示す導電性配線パターン１２の延設方向の位置が導電性配線パターン１２毎に異なって階段状に形成されている。この縁部１３ｂによって形成された階段は、図１において矢印１３ｃで示す傾斜方向に形成されている。
【００１８】
一方、端部３２および端部３３の構成は、絶縁性保護膜１３の開口部の縁部が階段状に形成されていない点を除いて端部３１の構成と同様である。詳述すると、端部３１から延びる６本の導電性配線パターン１２がその途中で３本づつに分岐されており、それぞれが端部３２および端部３３の絶縁性保護膜１３から外部に露出して半田付け可能なランドを成す開口部を有している。従って、端部３２および端部３３もそれぞれの導電性配線パターン１２が外部に露出して半田付け可能なランドを成す開口部を有している点では端部３１と同様であり、絶縁性保護膜１３の開口部の縁部が階段状に形成されていない点では端部３１と相違している。
【００１９】
図５は、フレキシブルプリント基板１０を有する対物レンズ駆動装置１００を搭載した光ヘッド装置３００の斜視図である。図６は、対物レンズ駆動装置１００の斜視図であって、光ヘッド装置３００に搭載するために折り曲げられたフレキシブルプリント基板１０の状態を示す図である。図７は、対物レンズ駆動装置１００において、折り曲げられた状態でのフレキシブルプリント基板１０のみを示す斜視図である。図８は、対物レンズ駆動装置１００において、折り曲げられた状態でのフレキシブルプリント基板１０のみを示す斜視図であって、図７の視点とは異なる視点での図である。
【００２０】
本実施の形態では、図６〜図８に示すようにフレキシブルプリント基板１０が折り曲げられた状態で、対物レンズ駆動装置１００が、図５に示す光ヘッド装置３００に搭載される。
【００２１】
図５に示すように、光ヘッド装置３００は、マグネシウムや亜鉛などのダイカスト品からなる金属製の装置フレーム３１１と、装置フレーム３１１に対して光記録ディスク側に配置されて装置フレーム３１１上の各種の部品を覆う金属カバー３１２および金属カバー３１３と、半導体レーザを備えたレーザ光源装置３２２と、光記録ディスクの記録面で反射されたレーザ光を受光するための信号検出用受光素子３２４と、レーザ光源装置３２２によって出射されたレーザ光を光記録ディスクの記録面に収束させる対物レンズ１３１を含む光学系と、装置フレーム３１１に搭載されて対物レンズ１３１の位置をサーボ制御するための対物レンズ駆動装置１００とを備えている。
【００２２】
図６に示すように、対物レンズ駆動装置１００は、対物レンズ１３１を中心にして矢印Ｔｒで示すトラッキング方向において略対称に形成されている。対物レンズ駆動装置１００は、磁性体のヨーク１６０と、ヨーク１６０に取り付けられた駆動マグネット１７１、１７２と、対物レンズ１３１を保持するレンズホルダ１８０と、レンズホルダ１８０に取り付けられて駆動マグネット１７１、１７２とともに矢印Ｔｒで示すトラッキング方向における駆動用の磁気回路を構成するトラッキング駆動コイル１９１、１９２と、レンズホルダ１８０に取り付けられて駆動マグネット１７１、１７２とともに矢印Ｆｏで示すフォーカシング方向における駆動用の磁気回路を構成するフォーカシング駆動コイル１９３と、レンズホルダ１８０に連結されたワイヤ２０１〜２０３と、ヨーク１６０に固定されてワイヤ２０１〜２０３を介してレンズホルダ１８０を矢印Ｔｒで示すトラッキング方向および矢印Ｆｏで示すフォーカシング方向に移動可能に支持するホルダ支持部材２１０と、フレキシブルプリント基板１０の端部３２、３３およびワイヤ２０１〜２０３と電気的に接続されてホルダ支持部材２１０に固定された基板２２０と、ヨーク１６０に対してレンズホルダ１８０および基板２２０を固定するネジ２３０とを備えている。
【００２３】
なお、フレキシブルプリント基板１０は、図１に示すように、折り曲げられる部分１０ａ（本形態では山折になっている）の矢印１０ｂで示す延在方向と、導電性配線パターン１２上の開口部１３ａの縁部１３ｂによって形成された階段の矢印１３ｃで示す傾斜方向とが交差している。
【００２４】
次に、フレキシブルプリント基板１０を相手の回路基板４０に接続する接続方法について説明する。
【００２５】
図９は、フレキシブルプリント基板１０の一部の正面図であって、相手の回路基板４０に貼り付けられた状態の図である。
【００２６】
まず、フレキシブルプリント基板１０は、剥離紙１９が剥がされて、図９に示すように、相手の回路基板４０のランド４０ａと、端部３１のランド１２ａとの位置が合うように調整された後、粘着テープ１６（図２参照。）によって相手の回路基板４０に貼り付けられる。
【００２７】
図１０は、フレキシブルプリント基板１０の一部の正面図であって、相手の回路基板４０のランド４０ａと半田５０によって接続された状態の図である。
【００２８】
粘着テープ１６によって相手の回路基板４０に貼り付けられたフレキシブルプリント基板１０は、図１０に示すように、相手の回路基板４０のランド４０ａと、端部３１のランド１２ａとが半田５０によって接続される。半田５０は、導電性配線パターン１２上の開口部１３ａの縁部１３ｂまで施されている。
【００２９】
（本形態の効果）
本形態において、半田５０は、図１０に示すように、導電性配線パターン１２（図９参照。）上の開口部１３ａの縁部１３ｂまで施されている。故に、半田５０が施された導電性配線パターン１２上の開口部１３ａの縁部１３ｂには応力が集中する。しかしながら、フレキシブルプリント基板１０は、開口部１３ａの縁部１３ｂが階段状に形成されていることによって、フレキシブルプリント基板１０が折り曲げられた状態で光ヘッド装置３００（図６参照。）に搭載された場合であっても、フレキシブルプリント基板１０が元の形状に戻ろうとする復元力に起因して、開口部１３ａの縁部１３ｂにかかる応力の集中箇所を分散させることができるので、亀裂の発生を従来より低減することができる。
【００３０】
また、開口部１３ａの縁部１３ｂに発生する亀裂は、上述の通り、折り曲げられた部分１０ａの矢印１０ｂで示す延在方向に進行する傾向にあるため、開口部１３ａの縁部１３ｂによって形成された階段の矢印１３ｃで示す傾斜方向が折り曲げられた部分１０ａの矢印１０ｂで示す延在方向に一致している場合、亀裂が階段の傾斜に沿って発生し易くなる。しかしながら、本形態によれば、この階段の矢印１３ｃで示す傾斜方向が亀裂の進行方向と交差しているので、一旦亀裂が発生してもその亀裂が進行し難くなり、断線に至るまでの時間を遅延させることができる。
【００３１】
（第２の実施の形態）
なお、第１の実施の形態では、開口部１３ａの縁部１３ｂによって形成された階段は、矢印１３ｃで示す傾斜方向に形成されているが、必ずしも傾斜方向は、一方向に限定されるものではない。第２の実施の形態として、詳述する。
【００３２】
図１１は、本発明の第２の実施の形態に係るフレキシブルプリント基板４１０の正面図である。なお、本実施の形態に係るフレキシブルプリント基板４１０の構成のうち、第１の実施の形態に係るフレキシブルプリント基板１０（図１参照。）の構成と同様な構成については、フレキシブルプリント基板１０の構成と同一の符号を付して詳細な説明を省略する。
【００３３】
図１１に示すように、フレキシブルプリント基板４１０は、端部４３１において、絶縁性保護膜１３は、６本の導電性配線パターン１２が外部に露出して半田付け可能なランド４１２ａ、４１２ｂ、４１２ｃ、４１２ｄ、４１２ｅ、４１２ｆを成す開口部４１３ａを有している。導電性配線パターン１２上の開口部４１３ａの縁部４１３ｂは、矢印４１２ｇで示す導電性配線パターン１２の延設方向の位置が６本の導電性配線パターン１２毎に異なって階段状に形成されている。この縁部４１３ｂによって形成された階段は、ランド４１２ａ、４１２ｂ、４１２ｃ、４１２ｄの４本によって図１１において矢印４１３ｃで示す傾斜方向に形成されているとともに、４１２ｄ、４１２ｅ、４１２ｆの３本によって図１１において矢印４１３ｄで示す傾斜方向に形成されている。
【図面の簡単な説明】
【００３４】
【図１】本発明の第１の実施の形態に係るフレキシブルプリント基板の正面図である。
【図２】図１に示すフレキシブルプリント基板における導電性配線パターンの形成された位置の導電性配線パターンに沿った側断面を模式的に示す模式図である。
【図３】図１に示すフレキシブルプリント基板の背面図である。
【図４】図１に示すフレキシブルプリント基板の一部の正面図である。
【図５】図１に示すフレキシブルプリント基板を有する対物レンズ駆動装置を搭載した光ヘッド装置の斜視図である。
【図６】図５に示す対物レンズ駆動装置の斜視図であって、光ヘッド装置に搭載するために折り曲げられたフレキシブルプリント基板の状態を示す図である。
【図７】図６に示す対物レンズ駆動装置において、折り曲げられた状態での図１に示すフレキシブルプリント基板のみを示す斜視図である。
【図８】図６に示す対物レンズ駆動装置において、折り曲げられた状態での図１に示すフレキシブルプリント基板のみを示す斜視図であって、図７の視点とは異なる視点での図である。
【図９】図１に示すフレキシブルプリント基板の一部の正面図であって、相手の回路基板に貼り付けられた状態の図である。
【図１０】図１に示すフレキシブルプリント基板の一部の正面図であって、相手の回路基板のランドと半田によって接続された状態の図である。
【図１１】本発明の第２の実施の形態に係るフレキシブルプリント基板の正面図である。
【符号の説明】
【００３５】
１０  フレキシブルプリント基板
１０ａ  折り曲げられる部分
１１  基材
１２  導電性配線パターン
１２ａ  ランド
１３  絶縁性保護膜
１３ａ  開口部
１３ｂ  縁部
１００  対物レンズ駆動装置
３００  光ヘッド装置
【図１】
2009200362.tif 000003
【図２】
2009200362.tif 000004
【図３】
2009200362.tif 000005
【図４】
2009200362.tif 000006
【図５】
2009200362.tif 000007
【図６】
2009200362.tif 000008
【図７】
2009200362.tif 000009
【図８】
2009200362.tif 000010
【図９】
2009200362.tif 000011
【図１０】
2009200362.tif 000012
【図１１】
2009200362.tif 000013